(57)【特許請求の範囲】
【請求項１】
塗料タンク内で複数枚の網製の羽根を回転させて塗料を攪拌し、攪拌した塗料を前記塗料タンクの底部の導出管から送り出すようにした攪拌装置において、前記各羽根の外側周囲を網製の籠状部材で囲い、前記導出管の上端を籠状部材の下端より上方に突出させて籠の内部に入り込ませたことを特徴とする攪拌装置。
【発明の詳細な説明】
【０００１】
【産業上の利用分野】
本発明は、例えば塗料タンク内で塩ビゾル（ＰＶＣ）系の塗料を攪拌する装置の改良に関する。
【０００２】
【従来の技術】
従来、例えば塩ビゾル（ＰＶＣ）塗料を塗布ガンで塗布するような場合、図４に示すように、塗料貯留部５１の塗料を送給ポンプ５２で攪拌装置５３に送り、この攪拌装置５３で攪拌した塗料を圧送ポンプ５４でフィルタ５５を介して塗装ガン５６に圧送するようにしている。
【０００３】
そして攪拌装置５３として、例えば塗料タンク５７の上部カバー５８にモータ５９を取付け、このモータ５９の出力軸を下方に延出する回転軸６０に連結するとともに、この回転軸６０に複数の羽根６１、…を取付けている。
【０００４】
そして、回転軸６０を回転させることで、羽根６１、…によって塗料を攪拌し、攪拌した塗料をタンク５７底面の導出部６２から送り出す。
因みに、各羽根６１、…には回転時の抵抗を弱めるため穴が形成されている。
【０００５】
【発明が解決しようとする課題】
しかし、従来の装置の場合、塗料を攪拌する羽根６１、…の形状から効率的に攪拌されているとは言い難く、また、塗料タンク５７の内壁に塗料カスｅ等が付着して段々大きく成長し、そのうち脱落してタンク５７の下部に落込んだ後、導出部６２から流出してパイプ詰りを起こしたり、フィルタ５５の早期目詰りを起こしたり、圧送ポンプ５４のトラブルを招く等の不具合があった。
【０００６】
そこで、より効率的に塗料を攪拌して塗料カスｅ等の発生を抑止するとともに、導出部６２から塗料カスｅ等が流出するを避ける必要があった。
【０００７】
【課題を解決するための手段】
かかる課題を解決するため、本発明は塗料タンク内で複数枚の羽根を回転させて塗料を攪拌するようにした攪拌装置において、前記羽根を網製にすると共に、前記各羽根の外側周囲を網製の籠部材で囲い、前記導出管の上端を籠部材の下端より上方に突出させて籠の内部に入り込ませるようにした。
【０００９】
【作用】
羽根を網製にすることで、塗料をほぼ全体に亘って攪拌することが出来、より効率的に攪拌することが出来る。そしてその結果、塗料カスの発生を抑止することが出来る。
【００１０】
また、羽根の周囲を網製の籠状部材で囲い、導出管の上端を籠状部材の下端より上方に突出させ、籠の内部に入り込ませることで、塗料中を浮遊する塗料カスが導出管に入り込むのを防止することが出来る。
【００１１】
【実施例】
本発明の攪拌装置の実施例について添付した図面に基づき説明する。
図１は本装置の縦断面図、図２は一部を破断した平面図、図３は籠状部材の一部拡大図である。
【００１２】
本発明の攪拌装置は、例えば塩ビゾル（ＰＶＣ）塗料を攪拌して塗装ガンに送るような装置として構成され、図１に示すように塗料貯留部１から供給される塗料を本攪拌装置２で攪拌した後、塗装ガン３に送るようにしている。
【００１３】
すなわち、塗料貯留部１と攪拌装置２の間には塗料を供給するための送給ポンプ４と供給管５が配設され、また、攪拌装置２と塗装ガン３の間にはフィルタ６と圧送ポンプ７を配設してなる圧送ライン８が設けられている。
【００１４】
攪拌装置２は、下方が先細りになった円筒状の塗料タンク１０と、この塗料タンク１０の上部カバー１１に取付けられた減速機付モータ１２と、この減速機付モータ１２から下方に延出する回転軸１３と、この回転軸１３に取付けられた攪拌具１４と、塗料タンク１０の底面中央部に取付けられた導出管１５を備えている。
そして、この導出管１５は、前記圧送ライン８に接続されている。
【００１５】
前記攪拌具１４は、図２に示すように、前記回転軸１３から円周上等間隔で放射方向に張り出して取付けられた４枚の金網製の羽根１６、…と、この羽根１６、…の外側を囲むような状態で取付けられた金網製の籠状部材１７によって構成されている。
【００１６】
そして、各羽根１６、…は、図１に示すように、張出し端部が塗料タンク１０の内壁に対して所定間隙で臨むようにしており、また、各羽根１６、…の下部は、塗料タンク１０の内壁の傾斜に沿って傾斜する外側テーパ部Ｔと、下方に向けて回転軸１３から遠ざかるように傾斜して切り欠いた内側テーパ部ｔによって下方先細り形状にしている。
【００１７】
また、籠状部材１７は、図２及び図３に示すように、回転軸１３の上部に固着された取付プレート１８に取付けられる円形の上面部１７ａと、この上面部１７ａの端部に連なる円筒部１７ｂを備えている。
【００１８】
そして、この円筒部１７ｂの下方は羽根１６、…の外側テーパ部Ｔに沿って下方先細り状にすぼませて塗料タンク１０の内壁に近接させ、また、上面部１７ａと円筒部１７ｂによって、前記羽根１６の外側周囲のうち内側下方のテーパ部ｔを除いたすべての部分を囲うようにしている。
【００１９】
このため、この金網製の籠状部材１７は、下方開放型の籠形状に形成されることになり、４枚の羽根１６、…とともに減速機付モータ１２の駆動によって一体に回転する。
【００２０】
ところで、塗料タンク１０の底面中央部に取付けた前記導出管１５は、その上端を籠状部材１７の下端ｂよりも上方に突出させ、籠状部材１７の籠の中に入り込んだ状態で設けられている。
【００２１】
本攪拌装置２は以上のように構成されているが、次にその作用について説明する。
【００２２】
塗料貯留部１から塗料タンク１０内に塗料が供給され、籠状部材１７の上面部１７ａ附近まで満たされると、減速機付モータ１２によって攪拌具１４が回転させられる。
【００２３】
この際、攪拌具１４の４枚の羽根１６、…は網製であり、この網目は塗料タンク１０内の塗料の殆どすべての部分を通過するため攪拌効率が良い。
また、攪拌効率が向上することによって塗料カス等が生じにくくなり、塗料タンク１０の内壁に塗料カス等が溜まりにくくなる。
【００２４】
また、仮令、塗料カス等が生じたとしても、網製の籠状部材１７はフィルタの作用をなして籠の内部には入り込まない。
【００２５】
従って、籠の内部に突出している導出管１５に塗料カス等が入り込む虞れはなく、綺麗な上澄みの塗料のみが圧送ライン８に送り出される。
つまり、ラインの詰りとか、圧送ポンプ７のトラブルがなくなり、フィルタ６に対する早期目詰りもなくなる。
【００２６】
また、従来であれば定期的に行っていた塗料タンク１０の清掃の手間を省くことが出来る。
【００２７】
尚、本実施例では羽根１６、籠状部材１７を金網製にしているが、その他の樹脂製等の網でもよいことはいうまでもない。
【００２８】
【発明の効果】
以上のように、本発明の攪拌装置は攪拌具の羽根を網製にするようにしたため、攪拌効率を高めることが出来、塗料カス等の発生を抑止することが出来る。
また、羽根の外側周囲を籠状部材で囲い、導出管を籠の内部に臨ませるようにすることで、ラインへの詰り、フィルタの早期目詰り、圧送ポンプのトラブル等も少なくなる。
【図面の簡単な説明】
【図１】本装置の縦断面図
【図２】一部を破断した平面図
【図３】籠状部材の一部拡大図
【図４】従来図
【符号の説明】
２  攪拌装置
３  塗装ガン
１０  塗料タンク
１４  攪拌具
１５  導出管
１６  羽根
１７  籠状部材
ｂ  籠状部材の下端
【図１】
0003559932.tif 000002
【図２】
0003559932.tif 000003
【図３】
0003559932.tif 000004
【図４】
0003559932.tif 000005